(57)【要約】【課題】  美術展、物産展などの展示会において、来訪者の嗜好に応じて展示物に関連する情報を提供する。【解決手段】  ＲＦＩＤ装置を備えてなる非接触型データ受送信体１１と、異なる展示物２０,２１,２２のそれぞれに対応するように設けられ、ＲＦＩＤ装置に関して情報の読み出しを行う第一の情報読出手段１２,１３,１４および第二の情報読出手段１７と、第一の情報読出手段１２,１３,１４により読み出された情報を保存するとともに、この情報を整理する情報管理手段１５と、第二の情報読出手段１７により読み出された情報および情報管理手段１５により保存、整理されている情報に基づいて、展示物２０,２１,２２に関連する情報を出力する出力手段１６と、を備えたマーキング情報活用システム１０を提供する。【選択図】        図１
2006127112.tif 000002
【特許請求の範囲】
【請求項１】
ＲＦＩＤ機能を有する半導体装置を備えてなる非接触型データ受送信体と、異なる展示物のそれぞれに対応するように設けられ、前記半導体装置に関して情報の読み出しを行う第一の情報読出手段および第二の情報読出手段と、前記第一の情報読出手段により読み出された情報を保存するとともに、この情報を整理する情報管理手段と、前記第二の情報読出手段により読み出された情報および前記情報管理手段により保存、整理されている情報に基づいて、前記展示物に関連する情報を出力する出力手段と、を備えたことを特徴とするマーキング情報活用システム。
【発明の詳細な説明】
【技術分野】
【０００１】
本発明は、美術展、物産展などの展示会において、来訪者の嗜好に応じて展示物に関連する情報を提供することが可能なマーキング情報活用システムに関する。
【背景技術】
【０００２】
美術展、物産展などの展示会では、会場の出口付近で、展示物に関連する商品が販売されているものの、中々売り上げが伸びていなかった。
その原因の一つとしては、売り手側が、僅かな時間で、展示会の来訪者一人一人の嗜好に応じた商品を提示することができないという問題がある。
【０００３】
一方、来訪者側が、僅かな時間で、多数の商品の中から、自分の嗜好に沿うものを見付け出すことは難しいという問題がある。例えば、多数の美術品（絵画、彫刻品、陶芸品など）のレプリカ、これらの写真からなるハガキやカードなどの中から、自分の欲しいものを見付け出すには時間がかかっていた。
【発明の開示】
【発明が解決しようとする課題】
【０００４】
本発明は、前記事情に鑑みてなされたもので、美術展、物産展などの展示会において、来訪者の嗜好に応じて展示物に関連する情報を提供することが可能なマーキング情報活用システムを提供することを目的とする。
【課題を解決するための手段】
【０００５】
本発明は、ＲＦＩＤ機能を有する半導体装置を備えてなる非接触型データ受送信体と、異なる展示物のそれぞれに対応するように設けられ、前記半導体装置に関して情報の読み出しを行う第一の情報読出手段および第二の情報読出手段と、前記第一の情報読出手段により読み出された情報を保存するとともに、この情報を整理する情報管理手段と、前記第二の情報読出手段により読み出された情報および前記情報管理手段により保存、整理されている情報に基づいて、前記展示物に関連する情報を出力する出力手段と、を備えたマーキング情報活用システムを提供する。
【０００６】
かかる構成によれば、美術展、物産展などの展示会において、来訪者の嗜好に応じて展示物に関連する情報を提供することができる。
【発明の効果】
【０００７】
本発明のマーキング情報活用システムによれば、美術展、物産展などの展示会において、来訪者の嗜好に応じて展示物に関連する情報を提供することができる。したがって、展示会において、来訪者への商品販売を効果的に促進することができる。
【発明を実施するための最良の形態】
【０００８】
以下、本発明を実施したマーキング情報活用システムついて詳細に説明する。
【０００９】
図１は、本発明に係るマーキング情報活用システムの一実施形態を示す概略図である。
図１中、符号１０はマーキング情報活用システム、１１は非接触型データ受送信体、１２,１３,１４は第一の情報読出手段、１５は情報管理手段、１６は出力手段、１７は第二の情報読出手段、２０,２１,２２は展示物をそれぞれ示している。
【００１０】
この実施形態のマーキング情報活用システム１０は、ＲＦＩＤ機能を有する半導体装置（以下、「ＲＦＩＤ装置」と略す。）を備えた非接触型データ受送信体１１と、は第一の情報読出手段１２,１３,１４と、情報管理手段１５と、出力手段１６と、第二の情報読出手段１７とから概略構成されている。
【００１１】
非接触型データ受送信体１１は、絶縁性の基材（図示略）と、ＲＦＩＤ装置とから概略構成されている。また、ＲＦＩＤ装置は、非接触型データ受送信体１１の基材の一方の面に設けられたアンテナ（図示略）と、アンテナの両端と接点（図示略）を介して電気的に接続されたＩＣチップ（図示略）とから概略構成されている。
【００１２】
ＲＦＩＤ装置を構成するアンテナは、非接触型データ受送信体１１の基材の一方の面にコイル状、ポール状、折り曲げポール状、ループ状などに設けられており、電磁誘導方式を採用していて、かつ、起電力が得られるものであれば、アンテナの形状は特に限定されない。
【００１３】
ＲＦＩＤ装置を構成するＩＣチップとしては、特に限定されず、アンテナを介して非接触状態にて情報の書き込みおよび読み出しが可能なもので、かつ、非接触型ＩＣタグや非接触型ＩＣラベル、あるいは非接触型ＩＣカードなどのＲＦＩＤメディアに適用可能なものであればいかなるものでも用いられる。
また、ＲＦＩＤ装置を構成するＩＣチップには、非接触型データ受送信体１１の所有者に関する情報、例えば、氏名、年齢、性別、嗜好などの個人を識別可能な情報が保存されている。
【００１４】
第一の情報読出手段１２は、信号ラインα１を介して情報管理手段１５と接続されており、非接触型データ受送信体１１を近接させると、展示物２０に関する情報（分類、作者（生産者）などの属性）を、信号ラインα１を介して情報管理手段１５に送信するようになっている。
第一の情報読出手段１３は、信号ラインα２を介して情報管理手段１５と接続されており、非接触型データ受送信体１１を近接させると、展示物２１に関する情報（分類、作者（生産者）などの属性）を、信号ラインα２を介して情報管理手段１５に送信するようになっている。
第一の情報読出手段１４は、信号ラインα３を介して情報管理手段１５と接続されており、非接触型データ受送信体１１を近接させると、展示物２２に関する情報（分類、作者（生産者）などの属性）を、信号ラインα３を介して情報管理手段１５に送信するようになっている。
【００１５】
情報管理手段１５は、上述のように第一の情報読出手段１２,１３,１４と接続されているとともに、信号ラインβ１を介して出力手段１６と接続されおり、第一の情報読出手段１２,１３,１４により読み出された、非接触型データ受送信体１１のＲＦＩＤ装置に保存されている情報、および、展示物２０,２１,２２に関する情報を保存するとともに、これらの情報を整理するものである。
【００１６】
第二の情報読出手段１７は、信号ラインβ２を介して出力手段１６と接続されており、非接触型データ受送信体１１を近接させると、そのＲＦＩＤ装置に保存されている情報を、信号ラインβ２を介して出力手段１６に送信するようになっている。
【００１７】
出力手段１６は、信号ラインβ１を介して情報管理手段１５と接続されているとともに、信号ラインβ２を介して第二の情報読出手段１７と接続されており、第二の情報読出手段１７により読み出された情報、および、情報管理手段１５により保存、整理されている情報（展示物２０,２１,２２に関する情報）に基づいて、展示物２０,２１,２２に関連する情報（書面、画像、映像）を出力するか、もしくは、展示物２０,２１,２２に関連する商品（美術品のレプリカ、これらの写真からなるハガキやカード）を提示するものである。
【００１８】
なお、この実施形態では、展示物２０,２１,２２に対応するように、第一の情報読出手段１２,１３,１４が設けられているマーキング情報活用システム１０を例示したが、本発明のマーキング情報活用システムはこれに限定されない。本発明のマーキング情報活用システムにあっては、第一の情報読出手段の数は、展示物の数に応じて適宜設定される。
【００１９】
次に、この実施形態のマーキング情報活用システム１０の運用方法について説明する。
このマーキング情報活用システム１０では、美術展、物産展などの展示会場Ａにおいて、例えば、来訪者が展示品２０を気に入った場合、所有している非接触型データ受送信体１１を、第一の情報読出手段１２に近接させる。すると、第一の情報読出手段１２によって読み出された、非接触型データ受送信体１１のＲＦＩＤ装置に保存されている情報が、信号ラインα１を介して、情報管理手段１５に送信されて、情報管理手段１５に保存される。
第一の情報読出手段１３,１４に非接触型データ受送信体１１を近接させた場合にも、マーキング情報活用システム１０は同様に動作をする。
【００２０】
そして、来訪者が展示会場Ａを一通り回って、展示会場Ａの出口にさしかかり、出口付近に設置されている第二の情報読出手段１７に非接触型データ受送信体１１を近接させると、この第二の情報読出手段１７により読み出された情報、および、情報管理手段１５により保存、整理されている情報（展示物２０,２１,２２に関する情報）に基づいて、出力手段１６によって、展示物２０,２１,２２に関連する情報（書面、画像、映像）が出力されるか、もしくは、展示物２０,２１,２２に関連する商品（美術品のレプリカ、これらの写真からなるハガキやカード）が提示される。
【００２１】
以上説明したように、この実施形態のマーキング情報活用システム１０によれば、美術展、物産展などの展示会において、来訪者の嗜好に応じて展示物に関連する情報を提供することができる。したがって、展示会において、来訪者への商品販売を効果的に促進することができる。
【産業上の利用可能性】
【００２２】
本発明のマーキング情報活用システムは、美術展、物産展などの展示会に限らず、あらゆる分野において、複数の物品の中から自分の好みのものを効率的に選択する手法として用いることもできる
【図面の簡単な説明】
【００２３】
【図１】本発明に係るマーキング情報活用システムの一実施形態を示す概略図である。
【符号の説明】
【００２４】
１０・・・マーキング情報活用システム、１１・・・非接触型データ受送信体、１２,１３,１４・・・第一の情報読出手段、１５・・・情報管理手段、１６・・・出力手段、１７・・・第二の情報読出手段、２０,２１,２２・・・展示物。
【図１】
2006127112.tif 000003